(57)【要約】【課題】この発明は、軽量化の促進を図ったうえで、深みのある視認性に優れた外観を実現し得るようにすることにある。【解決手段】中竿本体１０の外表面に着色材料１１２及び光反射粒子１１３が含有された第１の塗膜層１１を形成し、この第１の塗膜層１１上に該第１の塗膜層１１に比して膜厚が薄く、その着色材料１１２と同系色の着色材料１２２が、該第１の塗膜層１１の着色材料１１２より少なく含有される第２の塗膜層１２を積層形成した装飾層１３を設けて構成したものである。【選択図】      図２
2005130765.tif 000002
【特許請求の範囲】
【請求項１】
用品本体の表面に塗布される着色材料及び光反射粒子が含有された第１の塗膜層と、
この第１の塗膜層に比して膜厚が厚く、前記第１の塗膜層の着色材料と同系色の着色材料が、前記第１の塗膜層の着色材料の含有量に比して少ない量、含有された前記第１の塗膜層上に積層される第２の塗膜層と、
を具備することを特徴とする釣り・スポーツ用品。
【請求項２】
前記第２の塗膜層の膜厚は、前記第１の塗膜層を含む全膜厚の１／２〜３／４に設定されることを特徴とする請求項１記載の釣り・スポーツ用品。
【請求項３】
前記第１の塗膜層には、着色材料として着色染料又は着色顔料が１０〜１８ｗｔ％含有され、且つ、光反射粒子が０．５〜３ｗｔ％含有されることを特徴とする請求項１又は２記載の釣り・スポーツ用品。
【請求項４】
前記第１及び第２の膜厚層の双方を含み膜厚は、７〜４０μｍに設定されることを特徴とする請求項１乃至３のいずれか記載の釣り・スポーツ用品。
【請求項５】
前記第１の塗膜層には、用品本体側に前記光反射粒子が含有されることを特徴とする請求項１乃至４のいずれか記載の釣り・スポーツ用品。
【発明の詳細な説明】
【技術分野】
【０００１】
この発明は、例えば釣竿、魚釣用リール、ルアー等の釣り用品や、ゴルフクラブシャフト、テニスラケット等の各種スポーツ用品に用いるのに好適する釣り・スポーツ用品に関する。
【背景技術】
【０００２】
一般に、この種の釣り・スポーツ用品においては、外観に深みがあり視認性に優れ、しかも、軽量化で、使用に耐え得るだけの耐久性を有することが要請される。そこで、このような釣り・スポーツ用品としては、素材上に光反射特性の粒子を含んだ透光性の第１塗膜を塗布し、この第１塗膜上に、異なる光反射特性の粒子を含んだ透光性の第２塗膜を塗布し、これら第１塗膜及び第２塗膜で、光を複雑に屈折させることにより、外観に深みと、立体感を持たせるように構成したものが提案されている（例えば、特許文献１参照）。
【特許文献１】特開平５−１７０９５９号公報
【発明の開示】
【発明が解決しようとする課題】
【０００３】
しかしながら、上記特許文献１では、素材上に異なる反射特性を有した粒子を含む第１及び第２塗膜を順に積層し、各塗膜の光反射特性の相違に基づく光反射により、外観上の深み及び立体感を得ることが可能であるが、釣り用品や各種スポーツ用品としての使用に耐えるように構成するには、その第２塗膜上にトップコートと称する保護膜を施さなければならないために、全膜厚寸法が厚くなり、重量の増加を招くという問題を有する。
【０００４】
例えば、９．５ｍの鮎竿に適用した場合には、保護層を設けると、約５ｇ程度、重量が増加される。
【０００５】
この発明は上記の事情に鑑みてなされたもので、構成簡易にして、軽量化の促進を図り得、且つ、深みのある視認性に優れた外観を実現し得るようにした釣り・スポーツ用品を提供することを目的とする。
【課題を解決するための手段】
【０００６】
この発明は、用品本体の表面に塗布される着色材料及び光反射粒子が含有された第１の塗膜層と、この第１の塗膜層に比して膜厚が厚く、前記第１の塗膜層の着色材料と同系色の着色材料が、前記第１の塗膜層の着色材料の含有量に比して少ない量、含有された前記第１の塗膜層上に積層される第２の塗膜層とを備えて釣り・スポーツ用品を構成した。
【発明の効果】
【０００７】
この発明によれば、構成簡易にして、軽量化の促進を図り得、且つ、深みのある視認性に優れた外観を実現し得るようにした釣り・スポーツ用品を提供することができる。
【発明を実施するための最良の形態】
【０００８】
以下、この発明の実施の形態について、図面を参照して詳細に説明する。
【０００９】
図１は、この発明の一実施の形態に係る釣り・スポーツ用品に適用される釣竿の中竿を取り出して示すもので、用品本体を構成する中竿本体１０は、例えばＣＦＲＰ、ＧＦＲＰ等の複合材料で、筒状に成形され、その両端部に隣接される竿管に嵌合される嵌合部１０１，１０２が設けられる。この中竿本体１０には、その外表面が、例えば＃３２０程度の粗さの研磨材で研磨された後、酢酸エチル、メタノール等で、塗装前処理である脱脂及び表面活性化処理が施される。
【００１０】
上記中竿本体１０には、例えば図２に示すように光反射粒子含有着色領域である第１の塗膜層１１及び光透過着色領域である第２の塗膜層１２が順に積層した装飾層１３が、厚み７〜４０μｍだけ形成される。これら第１及び第２の塗膜層１１，１２は、例えば後述するように図示しない二丁のスプレーガンを用いて、中竿本体１０の外表面に順に塗布し、相互の境界部がはっきりと区切られることなく積層形成される。
【００１１】
このうち第１の塗膜層１１は、フッ素樹脂、アクリルウレタン樹脂、ポリウレタン樹脂等の樹脂１１１に対して、着色染料、又は着色顔料等の有彩色系の着色材料１１２が、１０ｗｔ％以上、可能な範囲で１０〜１８ｗｔ％（７．５〜１４ｖｏｌ％）含有され、且つ、アルミニウム、チタン、パール顔料等の光反射作用を有する光反射粒子１１３が０．５〜３ｗｔ％（０．３５〜２．５ｖｏｌ％）含有される。
【００１２】
この第１の塗膜層１１としては、中竿本体１０に近い領域を、該中竿本体１０の表面粗さ（凹凸）による影響を少なくするために、無彩色系である光反射粒子１１３を配し、その着色材料１１２を中竿本体表面側に多くなるように含有する。これにより、第１の塗膜層１１は、色むらを効果的に防止することができ、しかも、着色材料１１２を通過する光の距離が多くなり、着色効果が向上され、より深みのある外観を実現することが可能となる。即ち、第１の塗膜層１１の光反射粒子１１３で反射された光は、殆どが着色材料１１２を多く含む領域を通過することとなり、第１の塗膜層１１の膜厚を効率的に利用することができるため、最小限の膜厚寸法で、深みを持たせるのに十分な着色材料１１２の透過距離を、確保することができる。この結果、膜厚を最小限に保ったうえで、効果的な着色効果が得られて外観の深みが高められて優れた視認性が実現される。
【００１３】
他方、第２の塗膜層１２は、例えば光反射作用を有する光反射粒子を含有することなく、フッ素樹脂、アクリルウレタン樹脂、ポリウレタン樹脂等の樹脂１２１に対して、上記第１の塗膜層１１の着色材料１１２と同系色の着色材料１２２が７ｗｔ％以下、好ましくは１〜５ｗｔ％（０．７〜４ｖｏｌ％）が含有される。この第２の塗膜層１２には、着色材料１２２が、第１の塗膜層１１の着色材料１１２の含有量より少ない量が含有されて、着色材料密度を、その表面より色落ちが殆ど無い程度に形成することにより、保護層としての機能も持たせる。また、この第２の塗膜層１２は、上記第１の塗膜層１１に比して膜厚が厚く、例えば全膜厚の１／２〜３／４の膜厚寸法となるように形成される。
【００１４】
ここで、上記第１及び第２の塗膜層１１，１２の形成手順について説明する。
【００１５】
例えば塗膜形成樹脂としては、釣竿としての撓りや水辺での使用状況を考慮し、耐屈曲性がφ３０以下で、８０°Ｃの温水に２４時間浸積しても、所謂ブリスターや剥離、軟化が生じ難い、樹脂アクリルポリオールを主とする主剤と、ヘキサメチレンジイソシアネート（ＨＭＤＩ）を主とする硬化剤を４：１で混合し（その他、エポキシ系、ポリウレタン系、フッ素系、アクリルシリコン系、シリコン系等の塗料系も可）、蒸発成分として（トルエン、キシレン、エチルベンゼン、３−メトキシブチルアセテート、ｎ−ブチルアセテート）を５５％含んだものに、上述した光反射粒子を０．５〜３ｗｔ％含有し、有彩色系の着色材料を１０〜１８ｗｔ％含有した第１の塗膜層を形成する第１の塗料、及び光反射粒子を含有しない、上記第１の塗料より少ない量の同系の有彩色の着色材料を１〜５ｗｔ％含有した第２の塗膜層を形成する第２の塗料を用意する。
【００１６】
次に、第１及び第２の塗料を、図示しない第１及び第２のスプレーガンの塗料タンクに収容すると共に、上記研磨した後、脱脂及び表面活性化処理を施した中竿本体１０を、図示しない塗装装置に装着し、室温１５〜２８°Ｃの塗装環境で塗装を開始する。ここで、第１及び第２のスプレーガンは、例えば中竿本体１０に対して移動制御されると共に、略同時に吹き出し駆動される。すると、第１のスプレーガンから吹き出される第１の塗料は、第２のスプレーガンから吹き出される第２の塗料に先立ち中竿本体１０の外表面に到達されて塗布され、指で触れても塗料が指に付着しない指触乾燥の前、所謂、ウエットな状態で、その表面上に第２のスプレーガンからの第２の塗料が順に塗布される。
【００１７】
ここで、中竿本体１０の表面には、第１の塗料による第１の塗膜層１１が形成された後に、第２の塗料による第２の塗膜層１２が積層形成される。これら第１の塗膜層１１と第２の塗膜層１２とは、好ましくは、その境界部がはっきりと区切られることなく、相互の塗料が混入し合った状態で、積層形成される。これにより、中竿本体１０上に第１及び第２の塗膜層１１，１２を積層形成した装飾層１３は、その第１及び第２の塗膜層１１，１２の境界部における密着性が高められて、色むらが発生することなく、深みのある外観により、高級な質感が実現される。又、視認性にも優れる。
【００１８】
なお、上記第１及び第２のスプレーガンは、同時に吹き出すように制御することなく、例えば３０秒以内の時間差を持たせて駆動して、第１の塗膜層１１と第２の塗膜層１２の境界部がはっきりと区切られることなく、相互の塗料が混入し合った状態で、積層形成することも可能である。
【００１９】
上記構成において、中竿本体１０には、第１及び第２の塗膜層１１，１２が、その境界部が、相互の塗料が混入し合った一体状態で、積層形成され、その第１の塗膜層１１の光反射粒子１１３で反射された光が第１の塗膜層１１の着色材料１１２で反射されると共に、第２の塗膜層１２の着色材料１２２で反射されることにより、この第１及び第２の塗膜層１１，１２による相乗効果により、深みが高められて外観からの優れた視認性が得られる。これにより、第１及び第２の塗膜層１１，１２は、全膜厚寸法を例えば２０μｍ程度形成するだけでも、深みのある外観が得られる。
【００２０】
また、上記中竿本体１０は、第１及び第２の塗膜層１１，１２で協働して深みのある外観を得るようにしていることにより、その最外層には、着色材料が少なくて済む第２の塗膜層１２が保護層として機能し、その色落ちが最小限に保たれるため、トップコートと称する保護層を配することなく、その使用に耐え得るだけの耐久性が確保されて軽量化が促進される。この色落ちに関しては、例えばトルエン、キシレン、酢酸エチル、酢酸メチル、ＭＥＫ等を含浸させた白色の木綿で、第２の塗膜層１２を擦り色落ちを試験する周知のラビング試験において使用に耐え得ることが、確認されている。
【００２１】
このように、上記釣り・スポーツ用品は、中竿本体１０の外表面に着色材料１１２及び光反射粒子１１３が含有された第１の塗膜層１１を形成し、この第１の塗膜層１１上に該第１の塗膜層１１に比して膜厚が厚く、その着色材料１１２と同系色の着色材料１２２が、該第１の塗膜層１１の着色材料１１２より少なく含有される第２の塗膜層１２を積層形成した装飾層１３を設けて構成した。
【００２２】
これによれば、第１の塗膜層１１の光反射粒子１１３で反射された光が第１の塗膜層１１の着色材料１１２で反射されると共に、第２の塗膜層１２の着色材料１２２で反射されることにより、これら第１及び第２の塗膜層１１，１２が協働して深みのある視認性に優れた外観を形成する。これにより、第１及び第２の塗膜層１１，１２は、全膜厚寸法を例えば２０μｍ程度形成するだけでも、深みのある外観が確保され、しかも、その第２の塗膜層１２が、色落ちを防止する保護層として機能し、別途、保護層を配すること無く、所望の使用に耐え得るだけの耐久性が得られると共に、軽量化の促進が図れる。
【００２３】
なお、上記実施の形態では、中竿本体１０の表面を＃３２０程度の粗さの研磨材で研磨して形成した場合で説明したが、この粗さの研磨材に限ることなく構成可能である。但し、例えば＃８００〜＃１５００の粗さの研磨材で研磨すると、研磨工程に時間を費やすこととなるが、脱脂及び表面活性化処理後、積層形成する第１及び第２の塗膜層１１，１２の全膜厚寸法が７〜３０μｍでも、外観に研磨目が殆ど作用しない、美しい深みのある外観が容易に実現される。そして、＃３２０〜＃６００の粗さの研磨材を用いて研磨して第１及び第２の塗膜層１１，１２を積層形成した場合には、全膜厚寸法を上述したように１５〜４０μｍに設定することで、同様の効果が期待される。
【００２４】
また、上記実施の形態では、スプレーガンを用いて第１及び第２の塗膜層１１，１２を積層形成するように構成した場合で説明したが、これに限ることなく、はけ塗り等の各種の塗装方法を用いて形成することが可能である。
【００２５】
さらに、上記実施の形態では、第２の塗膜層１２に光反射粒子を含有しないように構成した場合で説明したが、これに限ることなく、例えば上記第１の塗膜層１１の含有量より少ない、極少量だけ含有するように構成しても、略同様の効果が期待される。又、その光反射粒子が透明性を有するものを使用することも可能である。
【００２６】
また、上記実施の形態では、中竿本体１０の外表面に研磨、脱脂及び表面活性化処理を施した後、直接的に第１の塗膜層１１及び第２の塗膜層１２を積層形成するように構成した場合で説明したが、これに限ることなく、例えば図３に示すように中竿本体１０の外表面上に下地層１４を形成し、この下地層１４上に上記第１及び第２の塗膜層１１，１２を順に積層形成するように構成することも可能である。
【００２７】
さらに、上記実施の形態では、釣り用品である釣竿に適用した場合で説明したが、これに限ることなく、その他、魚釣用リール、ルアー等の釣り用品、やゴルフクラブシャフト、テニスラケット等の各種のスポーツ用品においても適用可能で、いずれも略同様の効果が期待される。
【００２８】
例えば、図４及び図５に示すように用品本体である物品本体２０の外表面に略波状等の凹凸部２０１が設けられているような場合には、この凹凸部２０１上に上述したように研磨、脱脂及び表面活性化処理を施し、第１の塗膜層１１及び第２の塗膜層１２を順に積層形成する。これにより、同様に第１の塗膜層１１の光反射粒子１１３で反射された光が第１の塗膜層１１の着色材料１１２で反射されると共に、第２の塗膜層１２の着色材料１２２で反射されて、これら第１及び第２の塗膜層１１，１２が協働して深みのある視認性に優れた外観を形成することができる。なお、この物品本体２０に形成する凹凸部２０１としては、上記略波状に限ることなく、その他の各種形状の凹凸形状においても同様に有効である。
【００２９】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３０】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３１】
【図１】この発明の一実施の形態に係る釣り・スポーツ用品を適用した釣竿の中竿を取り出して示した平面図である。
【図２】図１の中竿を軸方向に断面して示した断面図である。
【図３】この発明の他の実施の形態に係る釣り・スポーツ用品を軸方向に断面して示した断面図である。
【図４】この発明の他の実施の形態に係る釣り・スポーツ用品の一部を断面して示した断面図である。
【図５】図４を拡大して示した断面図である。
【符号の説明】
【００３２】
１０…中竿本体、１０１，１０２…嵌合部、１１…第１の塗膜層、１１１…樹脂、１１２…着色材料、１１３…光反射粒子、１２…第２の塗膜層、１２１…樹脂、１２２…着色材料、１３…装飾層、１４…下地層、２０…物品本体、２０１…凹凸部。
【図１】
2005130765.tif 000003
【図２】
2005130765.tif 000004
【図３】
2005130765.tif 000005
【図４】
2005130765.tif 000006
【図５】
2005130765.tif 000007